(57)【要約】【課題】  地震初期の弱い地震力を利用して自動的に作動する物品落下防止装置を提供する。【解決手段】  棒状で横長の落下防止材４を収納部開口を横断する落下防止位置と収納部開口を全面的に開放する退避位置との間を、落下防止材４の左右両端と回転軸５ａの外端同士を連結杆部５にて一体化した落下防止枠が収納部開口２の左右の棚枠１ａに設けられたブラケット３に係止される一方で地震発生時には落下防止材端部５ｂは地震力によって係止部１５から離脱し半回転して落下防止材停止部１８に係入支持される。【選択図】図１
2011200478.tif 000002
【特許請求の範囲】
【請求項１】
収納棚１の収納部開口２を平常時には収納物の収納や取り出しの支障のない開放
状態とし、一方地震発生時には収納部開口２を地震初期の地震力を利用して閉鎖する
棒状の落下防止材４を整えた物品落下防止装置であって、棒状の落下防止材４と棒状
の回転軸５ａを平板状の連結杆部５で一体化した落下防止枠と、棒状の落下防止材４
の左右両端を折り曲げて縦長で板状の内部に回転軸移動案内孔と落下防止材案内孔
を有し、上部に係止部１５を備えたブラケット３にて待機支持される地震力を利用し
た物品落下防止装置。
【請求項２】
請求項１記載の初動の働きが地震力を利用することを特徴とする地震力を利用し
た物品落下防止装置。
【請求項３】
前記落下防止材４は、自重によって上から下に半回転作動することを特徴とする請
求項１又は２記載の地震力を利用した物品落下防止装置。
【請求項４】
前記ブラケット３は、落下防止材４が地震によって係止部１５から離脱する時に、
回転軸５ａは回転軸移動案内孔の回転軸待機部１６にあり、落下防止材４を落下防止
材案内孔切欠部１１を介して落下防止材停止部１８まで素早く落下するのを導き、回
転軸５ａを回転軸停止部１７で停止させることを特徴とする請求項１〜３記載のい
ずれか一項に記載の地震力を利用した物品落下防止装置。
【請求項５】
前記ブラケット３は、落下防止材案内孔切欠部１１から落下防止材停止部１８は金
属同士が落下の際に衝突の反動で跳ね返るのを防ぐとともに、落下防止材４が落下防
止材停止部１８に完全にはまり込み、落下防止材４が地震によって生じた物品への横
滑りの圧力をはずれる事もなく防止できることを特徴とする請求項１〜４記載のい
ずれか一項に記載の地震力を利用した物品落下防止装置。
【発明の詳細な説明】
【技術分野】
【０００１】
本発明は、本棚や薬品棚などのような各種の収納された物品が地震によって落下するのを防止するための装置に関する。
【背景技術】
【０００２】
この発明は地震によって本棚やショーケースなどの収納物が棚から落下して破損や散乱などを防止するために地震力によって作動する装置に関するものである。
【０００３】
商店や事務所では地震による棚の転倒防止策をチェーンや床に固定する金具によって対策を施しているが、棚に載っている物品などの落下防止策をしていないのが現状である。
【先行技術文献】
【特許文献】
【０００４】
【特許文献１】特開平８−５９９２７
【特許文献２】特願２００３−３７８１６０
【発明の概要】
【発明が解決しようとする課題】
【０００５】
横長の落下防止材を収納部開口を横断する落下防止位置と、収納部開口を全面的に開放する退避位置との間を地震初期の弱い地震力を利用して、自動的に作動する物品落下装置に関するものである。
【０００６】
前記のごとく商店や事務所では、物品の収納や取り出しの際に支障があるために物品棚の前面には障壁を設けないことが多い。
【０００７】
一般では収納物落下防止装置を設けたくても設けられないなかで、物品落下防止として十分な効果を得るためには、低い位置の物品落下防止装置よりも重心の高い物品にも効果があり、地震のときだけ収納物の落下を防止できる機能を有し、既設の棚などに容易に取り付けが可能で強地震にも耐えられる収納物落下防止装置の開発である。
【０００８】
棚などから収納物が落下、散乱防止のために在職中は棚の前面に取り付けた収納物落下防止装置が棚の前面にあるため煩わしくて取り外しておき、退職時にまた収納物落下防止装置を取り付けておくというのが現状である。
【０００９】
つまり人間の手などで行う収納物落下防止装置の脱着は不在中には効果がありますが、在職中に地震が起こった場合に収納物が落下して破損、散乱してしまう。
【００１０】
収納物落下防止装置についてのいろいろなアイデアやプランが出されていますが、機械式で構造が複雑になったり電気式で高価なものになったりして、なかなか実用化が難しいものでした。
【課題を解決するための手段】
【００１１】
前記の課題を解決するためにこの発明は、初期の地震力を利用する物品落下防止装置であって収納物の収納や取り出しの支障のない状態で収納棚に設け、収納部開口を全面的に開放する退避位置と位置変更自在にしてある装置である一方、地震発生時には収納部開口を閉鎖し物品の落下を阻止し散乱や破損を防ぐことを特徴とする。
【００１２】
前記、落下防止部材の左右両端部に上下一対の横杆部とこれらの外端部同士を連結杆部で繋いだ係止部を備え、ブラケットに設け簡単に取り付けでき、落下防止部材は自重によって上から下に半回転作動することを特徴とする。
【００１３】
この物品落下防止装置のブラケット中段長孔部６〜１０は落下防止材４を下段切欠部１１〜長孔部１３まで素早く導くことができ、ブラケット下段切欠部１１〜長孔部１３は金属同士が落下の際に衝突の反動で跳ね返るのを防ぐとともに、落下防止材４が長孔部１３にはまり込み落下防止材４が地震によって生じた物品の横滑りの圧力をはずれる事もなく防止できる。
【００１４】
上記目的を達成するために本発明は以下のように構成した。
【発明の効果】
【００１５】
本発明では、通常の地震動では地震初期の加速度は小さく徐々に大きくなり最大加速発生までに３〜４秒はかかるという過去のデータがある。そこで収納物が落下する前に本装置が作動して収納物の落下を防止する。
【００１６】
また本装置が微震動にも作動せず、横杆部ブラケットに物品や人が接触しても損傷や負傷をする事はない。
【００１７】
本発明は収納棚の棚板が何段もある高い位置の棚でも、手の届く限りの所なら何段でも取り付けセット可能である。
【００１８】
本発明は収納棚の前面に取り付けるため収納棚に納められている物品を取り出さなくても装着できるのが特徴である。
【００１９】
棚同士がくっついている場合でも、例えば図５、図６のように１つのブラケットで２つの落下防止材４が装着できるのが特徴である。
【００２０】
この構成によると、ブラケット部を曲げ加工とプレスにて打ち抜き簡単安価にて安全性に優れた製品を製作する事ができる。
【００２１】
この構成によると、収納する物品の高さや重さなどに応じて落下防止材の大きさや形状を任意に選択する事ができる。
【図面の簡単な説明】
【００２２】
【図１】収納棚の一部を示す斜視図である。
【図２】閉鎖状態にある物品落下防止装置の横断側面図である。
【図３】待機状態にある物品落下防止装置の横断側面図である。
【図４】落下防止材とブラケットを示す斜視図である。
【図５】他の実施例の物品落下防止材の一部とブラケットを示す斜視図である。
【図６】他の実施例の物品落下防止材の一部とブラケットを示す斜視図である。
【図７】ブラケット３を示す図である。
【発明を実施するための形態】
【００２３】
以下、本発明の実施の形態を図１〜図７に基づいて説明する。
【００２４】
図１に本発明に係る物品落下防止装置を装着した物品棚が示されている。この
収納棚は、例えば金属製のアングル材や合板材や木材をくみ上げた棚枠１ａに天板、
側板、棚板を金属板あるいは合板材、木材からなるもので構成されている各収納段
ごとにその収納部前面に位置させて物品落下防止装置が取り付けられている。
【００２５】
この物品落下防止装置は、上下の棚板間に形成された収納部開口２の前部に配備
される横長の落下防止材４、この落下防止材４を左右から支持する棚枠１ａにおける
左右の支柱前面にビス又はボルトにて取り付け固定されるブラケット３とから構成
されている。
【００２６】
前記ブラケット３には図７にも示されているように、回転軸移動案内孔と落下防止
材案内孔があり回転軸移動案内孔は、回転軸待機部１６、縦長孔部６、横長孔部７、
縦長孔部８、斜長孔部９、縦長孔部１０、回転軸停止部１７からなり、落下防止材案
内孔は切欠部１１、斜長孔部１２、縦長孔部１３、落下防止材停止部１８からなるも
ので構成されている。
【００２７】
図４に示されるように、落下防止材４、回転軸５ａは連結杆部５にて一体化して
構成されている。
【００２８】
本発明の物品落下防止装置は、以上のように構成されたものであり物品収納状態
では、図１中におけるブラケット３の係止部１５の上に落下防止材４が載った状態で
あり物品の収納や取り出しが支障なく安全に行われるものである。
【００２９】
本発明の物品落下防止装置は地震初期の地震力が作用した時、図３に示すように
落下防止材４が係止部１５から離脱し半回転しながら落下防止材案内孔切欠部１１、
斜長孔部１２、縦長孔部１３、落下防止材停止部１８へと順に落下しながらはまり込
んでいって、図２のように固定される。
【００３０】
又、図３に示すように回転軸５ａは回転軸移動案内孔の上部回転軸待機部１６にあ
りますが、落下防止材４が係止部１５から地震力によって離脱し半回転しながら落ち
ていくのに伴って、回転軸５ａは回転軸移動案内孔の縦長孔部６、横長孔部７、縦長
孔部８、斜長孔部９、縦長孔部１０、回転軸停止部１７へと順に落下して係止される。
【００３１】
本発明は以下の形態でも実施することができる。
【００３２】
図５の様に、隣接した棚の高さが違っていても実施することができる。
【００３３】
図６の様に、隣接した棚の高さが同じでも実施することができる。
【符号の説明】
【００３４】
１    収納棚
１ａ  棚枠
２    収納部開口
３    ブラケット全体
４    落下防止材
５    連結杆部
５ａ  回転軸
５ｂ  落下防止材端部
６    縦長孔部
７    横長孔部
８    縦長孔部
９    斜長孔部
１０    縦長孔部
１１    切欠部
１２    斜長孔部
１３    縦長孔部
１４    取付用孔部
１５    係止部
１６    回転軸待機部
１７    回転軸停止部
１８    落下防止材停止部
【図１】
2011200478.tif 000003
【図２】
2011200478.tif 000004
【図３】
2011200478.tif 000005
【図４】
2011200478.tif 000006
【図５】
2011200478.tif 000007
【図６】
2011200478.tif 000008
【図７】
2011200478.tif 000009